(57)【要約】【課題】  訓練用水消火器の放水量及び放水時間の減少問題、訓練の多様化の問題、訓練用水消火器の小型化の問題、訓練用水消火器の長期間使用による放出量の低下の問題について、これらを解決する訓練用水消火器を提供する。【解決手段】  消火水が充填される本体容器２と、この本体容器の上端口部３に取り付けた容器バルブ４と、この容器バルブを開閉するための開閉操作レバー１０と、容器バルブ４の開弁に伴い消火水を放出するノズル７とを備え、前記開閉操作レバー１０により容器バルブ４を開弁した状態でノズル７から消火水を本体容器内２に注入充填して加圧する訓練用水消火器において、前記ノズル７を容器バルブ４の消火水放出口１２ｂに着脱可能に設ける構成とした。【選択図】  図１
2012110503.tif 000002
【特許請求の範囲】
【請求項１】
消火水が充填される本体容器と、この本体容器の上端口部に取り付けた容器バルブと、この容器バルブを開閉するための開閉操作レバーと、前記容器バルブの開弁に伴い消火水を放出するノズルとを備え、前記開閉操作レバーにより前記容器バルブを開弁した状態で前記ノズルから消火水を本体容器内に注入充填して加圧する訓練用水消火器において、
前記ノズルを前記容器バルブの消火水放出口に対して着脱可能に設けて、このノズルから前記消火水の本体容器内への注入充填と前記消火水の放出をさせるように構成したことを特徴とする訓練用水消火器。
【請求項２】
前記ノズルの基部外周面に雄ねじを形成して、前記容器バルブの消火水放出口の内周面に形成した雌ねじに螺合させることにより、前記ノズルが前記容器バルブの消火水放出口に対して着脱可能に設けられていることを特徴とする請求項１に記載の訓練用水消火器。
【請求項３】
消火水が充填される本体容器と、この本体容器の上端口部に取り付けた容器バルブと、この容器バルブを開閉するための開閉操作レバーと、前記容器バルブの開弁に伴い消火水を放出するノズルとを備え、前記開閉操作レバーにより前記容器バルブを開弁した状態で前記ノズルから消火水を本体容器内に注入充填して加圧する訓練用水消火器において、
前記ノズルを前記容器バルブの消火水放出口に対して着脱可能に設けて、このノズルから前記消火水を本体容器内に注入充填して加圧することを特徴とする訓練用水消火器への水充填方法。
【請求項４】
前記ノズルの基部外周面に雄ねじを形成して、前記容器バルブの消火水放出口の内周面に形成した雌ねじに螺合させることにより、前記ノズルが前記容器バルブの消火水放出口に対して着脱可能に設けられていることを特徴とする請求項３に記載の訓練用水消火器への水充填方法。
【発明の詳細な説明】
【技術分野】
【０００１】
本発明は、訓練用水消火器及び訓練用水消火器への水充填方法に関する。
【背景技術】
【０００２】
従来、消火水として水道水を利用した訓練用水消火器として、たとえば図４に示すようなものがある（例えば、特許文献１参照。）。
【０００３】
この従来の訓練用水消火器は、消火水が充填される本体容器２と、この本体容器２の上端口部３に取り付けた容器バルブ４と、この容器バルブ４を開閉するための開閉操作レバー１０と、容器バルブ４に接続され容器バルブ４の開弁に伴い本体容器２内の消火水を放出する消火ホース６と、この消火ホース６の先端に取り付けたノズル７とを備えている。
【０００４】
前記本体容器２内に消火水を充填する場合には、接続ホースの一端を水道の蛇口に接続するとともに、この接続ホースの他端を前記消火ホース６の先端のノズル７に接続して、開閉操作レバー１０で容器バルブ４を開放した状態で水道の蛇口を開放することにより、水道水を本体容器２内に注入充填し加圧するものである。
【０００５】
そして、前記消火水の注入充填後、さらに加圧をしたい場合には、圧縮空気を前記ノズル７から本体容器２内へ注入するものであり、これによって十分な放水力が得られるものである。しかも、この訓練用水消火器は、消火水と圧縮空気を再注入することで繰り返し使用することができるため、訓練用の水消火器として非常に好ましいものである。
【先行技術文献】
【特許文献】
【０００６】
【特許文献１】特開２００７−３７５９２  公報
【発明の概要】
【発明が解決しようとする課題】
【０００７】
このように前記訓練用水消火器は、非常に好ましいものであって問題になるような点はどこにも存在しないように見えるが、本発明者は前記訓練用水消火器について更に研究した結果、次の（Ａ）〜（Ｄ）の課題が存在することが知見された。
（Ａ）放水量及び放水時間について 
前記訓練用水消火器は、消火水をノズル７から消火ホース６を経て本体容器２内へ注入する際、消火ホース６内には空気が存在する。この空気が全て本体容器２内へ入り込むため、本体容器２内へは余計な空気が入り込み、その分、消火水の充填量が減り、放水量及び放水時間が減少する課題がある。
（Ｂ）放水訓練の多様化について
前記従来の訓練用水消火器は、たとえば、右手で開閉操作レバー１０を握り、左手で消火ホース６の先端のノズル７を握り、そのノズル７を放水訓練のための１つの模擬対象に向けて放水するというワンパターンのやり方しか訓練できない課題がある。                                
（Ｃ）訓練用水消火器の小型化について
前記従来の訓練用水消火器は、小型にすると、その小型にした分、本体容器２内への消火水の充填量が減り、これにより消火水の放出量が減って、短時間で放水が終了してしまう課題がある。
（Ｄ）繰り返し使用した訓練用水消火器の放出量について
訓練用水消火器を繰り返し使用して保管していると、消火水（水道水）のカルキ等の不純物が、ノズル７の噴出孔３３の奥側や容器バルブ４の消火水放出口１２ｂ付近に堆積する。この堆積によって消火水の放出面積が狭められて、消火水の単位時間あたりの放出量が次第に低下する課題がある。
【０００８】
本発明の目的は、上記（Ａ）〜（Ｄ）の課題を解決することができる訓練用水消火器及び訓練用水消火器への水充填方法を提供することにある。
【課題を解決するための手段】
【０００９】
上記目的を達成するため、請求項１の発明（訓練用水消火器）は、消火水が充填される本体容器と、この本体容器の上端口部に取り付けた容器バルブと、この容器バルブを開閉するための開閉操作レバーと、前記容器バルブの開弁に伴い消火水を放出するノズルとを備え、前記開閉操作レバーにより前記容器バルブを開弁した状態で前記ノズルから消火水を本体容器内に注入充填して加圧する訓練用水消火器において、
前記ノズルを前記容器バルブの消火水放出口に対して着脱可能に設けて、このノズルから前記消火水の本体容器内への注入充填と前記消火水の放出をさせるように構成したものである。
【００１０】
また、上記目的を達成するため、請求項３の発明（訓練用水消火器への水充填方法）は、消火水が充填される本体容器と、この本体容器の上端口部に取り付けた容器バルブと、この容器バルブを開閉するための開閉操作レバーと、前記容器バルブの開弁に伴い消火水を放出するノズルとを備え、前記開閉操作レバーにより前記容器バルブを開弁した状態で前記ノズルから消火水を本体容器内に注入充填して加圧する訓練用水消火器において、
前記ノズルを前記容器バルブの消火水放出口に対して着脱可能に設けて、このノズルから前記消火水を本体容器内に注入充填して加圧するようにしたものである。
【００１１】
上記請求項１及び３の発明は、次の（Ａ）〜（Ｄ）の作用を奏するものである。
（Ａ）放水量及び放水時間について 
本発明の訓練用水消火器では、ノズルを容器バルブの消火水放出口に対して着脱可能に設けて、このノズルから消火水の本体容器内への注入充填と消火水の放出を行わせるようにしたため、消火ホース６を省くことができる。これによって、消火水を本体容器２内に注入する際、消火ホース６内の空気が本体容器２内へ入り込むような事態が解消され、その分、消火水の充填量が増量されて、放水量及び放水時間を向上させることができる。
（Ｂ）放水訓練の多様化について
本発明の訓練用水消火器では、消火ホース６を省くことができたため、片手で開閉操作レバーを握りながらノズルを模擬対象に向けて放水させることができるのは勿論のこと、本発明の訓練用水消火器によれば、２本用いて、右手も左手もそれぞれ開閉操作レバーを握り、この両手使いで２本の訓練用水消火器から１つの模擬対象に向けて同時に又は連続的に放水することが可能になるとともに、間隔をあけた複数の模擬対象に対しても同時に放水が可能になる。したがって、放水訓練の多様化を図りたい場合に大きく貢献することができるものである。
（Ｃ）訓練用水消火器の小型化について
本発明の訓練用水消火器では、小型化して、１本の軽量の訓練用水消火器で模擬対象に放水することができるのは勿論のこと、上記（Ｂ）で述べたように両手を使って、２本の訓練用水消火器を同時使用することもできるため、２倍の放水量で１つ又は複数の模擬対象に対し放水することができる。これよって、訓練用水消火器を小型化にしても十分な放水量を確保することができる。
（Ｄ）繰り返し使用した訓練用水消火器の放出量について
本発明の訓練用水消火器では、 ノズルを容器バルブの消火水放出口に対して着脱可能に設けているため、この訓練用水消火器を使用した後には、ノズルを容器バルブから外して、ノズルの噴出孔の奥側や容器バルブの消火水放出口付近を容易に清掃することができる。これによって、ノズルの噴出孔の奥側や容器バルブの消火水放出口付近が消火水の不純物により放出面積が狭められず、訓練用水消火器を長期間繰り返し使用しても、消火水の放出量の低下を防止することができる。
【００１２】
なお、上記請求項１及び３の発明において、ノズルや容器バルブの大幅な構造変更を防止するために、前記ノズルの基部外周面に雄ねじを形成して、前記容器バルブの消火水放出口の内周面に形成した雌ねじに螺合させることにより、前記ノズルを前記容器バルブの消火水放出口に対して着脱可能に設ける構成にしておくことが好ましい。
【００１３】
また、水道水等の消火水を供給する接続ホースの他端には、ホース継手を取り付け、このホース継手の内周に径方向に拡縮変形自在な抜止め部材を設け、
上記ノズルの噴出孔を有するノズル本体の外周には、上記抜止め部材に対し係脱可能な係合部を設け、
上記ノズル本体の外周に対し上記ホース継手を上記抜止め部材と係合部との係脱作用を介して抜差し自在に構成し、
上記ノズル本体の噴出孔の先端部には、逆止弁を内蔵した圧力注入治具が着脱可能な空気注入口を上記噴出孔と連通状に設ける構成とした訓練用水消火器にしておくことが好ましい。
【発明の効果】
【００１４】
以上のとおり、請求項１及び３の発明によれば、訓練用水消火器の放水量及び放水時間を向上させることができ、また放水訓練の多様化に大きく貢献することができ、さらには訓練用水消火器を小型化しても十分に放水量を確保することができ、さらに加えて訓練用水消火器を長期間繰り返し使用しても訓練用水消火器の放出量の低下を防止することができるものである。
【図面の簡単な説明】
【００１５】
【図１】本発明の実施形態を示す訓練用水消火器の縦断面図である。
【図２】図１の訓練用水消火器のノズル、接続ホースのホース継手の断面図、及び圧力注入治具の側面図である。
【図３】図１の訓練用水消火器のノズルにホース継手を接続した状態を示す断面図である。
【図４】従来の訓練用水消火器を示す縦断面図である。
【発明を実施するための形態】
【００１６】
以下、本発明の好適な実施の形態を図１〜図３に基づき説明する。
なお、図１〜図３において図４（従来の訓練用水消火器）の構成と同一部分には同一符号を付けることによって説明を簡略化する。
【００１７】
図１において、訓練用水消火器１は、従来の標準タイプの蓄圧式消火器の構成と同様である。
すなわち、訓練用水消火器１は、消火水が充填される本体容器２と、この本体容器２の上端口部３に密封状に取り付けた容器バルブ４と、この容器バルブ４に上端部が取り付けられて本体容器２内の消火水を容器バルブ４に導くためのサイホン管５と、容器バルブ４の消火水放出口１２ｂに着脱可能に設けられたノズル７と、容器バルブ４に取り付けられてその開閉操作をするための固定レバー８及び可動レバー９からなる開閉操作レバー１０と、固定・可動レバー８，９に備えた安全栓１１等を備えている。
【００１８】
上記ノズル７には、図３に拡大して示すように、基部外周面に雄ねじ（７ａ）が形成されている。この雄ねじ（７ａ）を容器バルブ４の消火水放出口１２ｂの内周面に形成した雌ねじ１２ｃに螺合させ、かつ、前記雄ねじ（７ａ）の根本側とこれに対向する消火水放出口１２ｂの開口端との間に気体・液体の漏洩防止用のＯリング等のシールリングＳ１を介在させることにより、ノズル７を容器バルブ４の消火水放出口１２ｂに対して着脱可能に設けている。
【００１９】
容器バルブ４は、直角の管路１２を有するバルブボディ１３と、バルブボディ１３の管路１２内に上下動自在でかつ気体・液体の漏洩防止用のＯリング等のシールリングＳ２を介入させた状態で装着された弁棒１４と、弁棒１４の下端に一体的に結合され、弁棒１４の上下動に伴い管路１２の一端の入口１２ａと他端の消火水放出口１２ｂとの連通状態を開閉するための弁体１５と、弁棒１４の上端部とバルブボディ１３の上端部との間に装着され、弁体１５が管路１２の入口１２ａ端の弁座１６に密着するように、常時、弁体１５を引き上げ付勢するばね部材１７とを備えている。バルブボディ１３の管路１２の入口１２ａ側にサイホン管５の上端部を取り付けている。この容器バルブ４は本体容器２の上端口部３にバルブキャップ１８で締め付け固定される。
【００２０】
上記訓練用水消火器１は、水道の蛇口あるいは高圧で消火水を供給する消火水供給装置とノズル７とを接続ホース２０（図２及び図３参照）で接続して消火水をノズル７から本体容器２内に注入充填する。また、ノズル７は、接続ホース２０との接続・離脱を簡単かつ迅速に行え、かつ、必要に応じてさらに加圧するための空気を注入可能にする圧力注入治具３５も装着できる構造にしている。
【００２１】
すなわち、図２、図３に示すように、一端が水道の蛇口あるいは消火水供給装置に接続される接続ホース２０の他端にはクイック式のホース継手２１が取り付けられる。ホース継手２１は、接続ホース２０の他端部に挿入される通水口２２を有するホース連結筒２３と、ホース連結筒２３の外周の雄ねじ２４に基部２６ｂ内周の雌ねじ２５を螺合する締付リング２６と、締付リング２６の先端部２６ａと通水口２２との間に介在され接続ホース２０の他端部の外周を押さえる弾性を有するホース挟持筒２７と、基端部２８ｂがホース連結筒２３の基端部２３ｂに内嵌され且つ先端部２８ａに数個設けた各保持孔３０に径方向に拡縮変形自在な抜止め部材２９を装着した抜止め部材保持筒２８と、抜止め部材保持筒２８にスプリング３１を介して軸方向に摺動可能に且つ抜止め状に外嵌された摺動筒３２とを備える。摺動筒３２の内周にはこれの軸方向への摺動に伴い抜止め部材２９を径方向内方へ押圧する押圧面３２ａと、抜止め部材２９の径方向外方への後退を許容する退避面３２ｂとを有する。
【００２２】
他方、容器バルブ４の消火水放出口１２ｂに着脱可能に設けられたノズル７は、消火水の直線流を拡散させて噴出する噴出孔３３を有するノズル本体７ａの外周に対しホース継手２１の抜止め部材保持筒２８を抜差し可能に形成すると共に、ノズル本体７ａの外周に抜止め部材２９が係脱可能な係合部３４を設け、かつ、ノズル本体７ａの噴出孔３３の先端部に、必要に応じ加圧するための圧縮空気を注入充填して昇圧するときに使用する逆止弁内蔵の圧力注入治具３５が着脱可能に装着される空気注入口３８を噴出孔３３と連通状に設けている。空気注入口３８への圧力注入治具３５の着脱は空気注入口３８の内周につけた雌ねじ３６に対し圧力注入治具３５の基端部外周につけた雄ねじ３７を締めたり緩めたりすることにより行われる。ノズル本体７ａの外周における係合部３４より先端側にはＯリング等のシールリング３９を嵌め込んでいる。
【００２３】
次に、前記訓練用水消火器１に対して消火水を注入充填する方法について説明する。
先ず、一端が水道の蛇口あるいは上記消火水供給装置に接続された接続ホース２０の他端のホース継手２１をノズル７に接続する。このとき、ホース継手２１の抜止め部材保持筒２８をノズル７に差し込むと、図３に示すように、抜止め部材２９が係合部３４に係止されるとともに、摺動筒３２の押圧面３２ａで抜止め部材２９が径方向内方へ押圧されて係合部３４に抜止め部材２９が係止され、これによってホース継手２１がノズル７に抜止め状態に接続される。また、ノズル７の外周面と抜止め部材保持筒２８の内周面との間の隙間がシールリング３９によりシールされる。
次いで、開閉操作レバー１０を握って容器バルブ４を開弁した状態で消火水を接続ホース２０からノズル７へと注入すると、その消火水及びその水圧は、ノズル７から直接、容器バルブ４及びサイホン管５を経て本体容器２内に注入充填され加圧される。
【００２４】
本体容器２内の消火水注入充填が終了すると、開閉操作レバー１０の握りを解除して容器バルブ４を閉弁し、接続ホース２０のホース継手２１をノズル７から取り外す。この取り外しに際しては、摺動筒３２をスプリング３１に抗して接続ホース６側へ軸方向摺動させると、抜止め部材２９が摺動筒３２の押圧面３２ａに押されることなく退避面３２ｂに後退することができて抜止め部材２９と係合部３４との係合は解除されホース継手２１をノズル７から取り外すことができる。
【００２５】
ホース継手２１の取り外し後は、必要に応じて、ノズル７の空気注入口３８に圧力注入治具３５をねじ込み、開閉操作レバー１０を握って容器バルブ４を開弁した状態で、この圧力注入治具３５から圧縮空気を空気入れやエアポンプ等で注入すると、圧縮空気はノズル７から直接、容器バルブ４及びサイホン管５を経て本体容器２内に充填され、本体容器２内を昇圧することができる。
【００２６】
このように、本体容器２に消火水を充填した後は、この訓練用水消火器１を消火水放水訓練に使用することができる。放水訓練使用後は、再度、接続ホース２０を使用することで消火水の再充填を可能にし、また必要に応じ圧力注入治具３５を使用することで空気の充填を可能にする。
【符号の説明】
【００２７】
１  訓練用水消火器
２  本体容器
３  上端口部
４  容器バルブ
７  ノズル
７ａ  ノズルの基部外周面の雄ねじ
１０  開閉操作レバー
１２ｂ  消火水放出口
１２ｃ  消火水放出口の雌ねじ
２０  接続ホース
２１  ホース継手
２９  抜止め部材
３３  噴出孔
３４  係合部
３５  圧力注入治具
３８  空気注入口
【図１】
2012110503.tif 000003
【図２】
2012110503.tif 000004
【図３】
2012110503.tif 000005
【図４】
2012110503.tif 000006